(57)【要約】【課題】メモリおよびＣＰＵの容量が小さな構成であっても、画像を動かすにあたり、動きのパターンの拡張を図ることを可能とするとともに、動きの速度を向上させて表現のバリエーションの拡大を図ることのできる画像制御装置を提供すること。【解決手段】画面ａと、画面ａを駆動させる画面駆動手段ｂと、画面駆動手段ｂの作動を制御する駆動制御手段ｃと、を備えた画像制御装置において、前記駆動制御手段ｃは、画面を複数の領域に分割する画面分割部と、分割された領域である分割画面のそれぞれに対して複数パターンの画像パターンを記憶するパターン記憶部と、前記複数の画像パターンを選択的に各分割画面に表示させるとともに、所定のテンポに合わせてこの表示を切り替える表示パターン切替手段ｆと、を備えていることを特徴とする。【選択図】　　　　　図１
2004133361.tif 000002
【特許請求の範囲】
【請求項１】
画面と、
この画面を駆動させる画面駆動手段と、
この画面駆動手段の作動を制御する駆動制御手段と、
を備えた画像制御装置において、
前記駆動制御手段は、前記画面を複数の領域に分割する画面分割部と、分割された領域である分割画面のそれぞれに対して複数パターンの画像パターンを記憶するパターン記憶部と、前記複数の画像パターンを選択的に各分割画面に表示させるとともに、所定のテンポに合わせてこの表示を切り替える表示パターン切替手段と、
を備えていることを特徴とする画像制御装置。
【請求項２】
請求項１に記載の画像制御装置において、
前記画面は、携帯電話機の画面であり、
前記表示パターン切替手段により各分割画面のパターンを切り替えるテンポは、着信メロディのテンポに対応していることを特徴とする画像制御装置。
【請求項３】
請求項１または２に記載の画像制御装置において、
前記表示パターン切替手段により表示の切替を任意に書き替え可能な書替手段を備えていることを特徴とする画像制御装置。
【請求項４】
請求項１〜３のいずれか１項に記載の画像制御装置において、
前記画面分割部は、画面全体の一部の領域を複数の領域に分割していることを特徴とする画像制御装置。
【請求項５】
請求項１〜４のいずれか１項に記載の画像制御装置において、
前記画面分割部は、人型のキャラクタを頭部と胴部と左右の手の部分と左右の脚の部分とに対応して画面の所定の領域を６領域に分割し、
前記パターン記憶部は、頭部と胴部と左右の手の部分と左右の脚の部分とのそれぞれについて、形状を異ならせた画像パターンを記憶していることを特徴とする画像制御装置。
【請求項６】
請求項１〜５のいずれか１項に記載の画像制御装置において、
前記表示パターン切替手段は、各分割画面毎にパターンの順番を予め記憶していて、この記憶された順番にパターンを切り替える構成であることを特徴とする画像制御装置。
【請求項７】
請求項３〜６のいずれか１項に記載の画像制御装置において、
前記書替手段は、表示パターン切替部において各分割画面毎に記憶されているパターンの順番を任意に書き替える手段であることを特徴とする画像制御装置。
【発明の詳細な説明】
【発明の属する技術分野】
本発明は、携帯電話機などの画面において画像を動かす技術に関する。
【０００１】
【従来の技術】
従来、携帯電話機において、着信を知らせるにあたっては、着信メロディと呼ばれる音楽により知らせるのが一般的である。
また、近年、携帯電話機には画面が設けられており、この画面を用いて、ユーザの好みの待受画像と呼ばれる画像を表示させ、さらに着信時には、この画像を用いて着信の表示を行うことも行われており、この着信表示において、画像を動かすことも試みられている。
【０００２】
【発明が解決しようとする課題】
しかしながら、携帯電話機において上述のように画像を動かそうとした場合、携帯電話機にあっては、その大きさを起因としてメモリやＣＰＵといった情報処理装置として大きな容量を確保することができないため、動きのパターンが限られるという問題や、その画像の動きの速度に限界があり、表現が限られるという問題があった。
【０００３】
本発明は、上述の問題点に着目して成されたもので、メモリおよびＣＰＵの容量が小さな構成であっても、画像を動かすにあたり、動きのパターンの拡張を図ることを可能とするとともに、動きの速度を向上させて表現のバリエーションの拡大を図ることのできる画像制御装置を提供することを目的としている。
【０００４】
【課題を解決するための手段】
上述の目的を達成するため本発明は、図１のクレーム対応図に示すように、画面ａと、画面ａを駆動させる画面駆動手段ｂと、画面駆動手段ｂの作動を制御する駆動制御手段ｃと、を備えた画像制御装置において、前記駆動制御手段ｃは、画面を複数の領域に分割する画面分割部と、分割された領域である分割画面のそれぞれに対して複数パターンの画像パターンを記憶するパターン記憶部と、前記複数の画像パターンを選択的に各分割画面に表示させるとともに、所定のテンポに合わせてこの表示を切り替える表示パターン切替手段ｆとを、備えていることを特徴とする。
【０００５】
また、請求項２に記載の発明は、請求項１に記載の画像制御装置において、前記画面ａは、携帯電話機の画面であり、前記表示パターン切替手段ｆにより各分割画面のパターンを切り替えるテンポは、着信メロディのテンポに対応していることを特徴とする。
【０００６】
また、請求項３に記載の発明は、請求項１または２に記載の画像制御装置において、前記表示パターン切替手段ｆにより表示の切替を任意に書き替え可能な書替手段を備えていることを特徴とする。
【０００７】
また、請求項４に記載の発明は、請求項１〜３のいずれか１項に記載の画像制御装置において、前記画面分割部ｄは、画面全体の一部の領域を複数の領域に分割していることを特徴とする。
【０００８】
また、請求項５に記載の発明は、請求項１〜４のいずれか１項に記載の画像制御装置において、前記画面分割部ｄは、人型のキャラクタを頭部と胴部と左右の手の部分と左右の脚の部分とに対応して画面の所定の領域を６領域に分割し、前記パターン記憶部ｅは、頭部と胴部と左右の手の部分と左右の脚の部分とのそれぞれについて、形状を異ならせた画像パターンを記憶していることを特徴とする。
【０００９】
また、請求項６に記載の発明は、請求項１〜５のいずれか１項に記載の画像制御装置において、前記表示パターン切替手段ｆは、各分割画面毎にパターンの順番を予め記憶していて、この記憶された順番にパターンを切り替える構成であることを特徴とする。
【００１０】
また、請求項７に記載の発明は、請求項３〜６のいずれか１項に記載の画像制御装置において、前記書替手段ｇは、表示パターン切替部ｆにおいて各分割画面毎に記憶されているパターンの順番を任意に書き替える手段であることを特徴とする。
【００１１】
【発明の作用および効果】
請求項１に記載の発明では、画面上で画像を動かすにあたり、駆動制御手段の表示パターン切替手段が、画面を複数に分割した各分割画面において表示する画像パターンを所定のテンポに合わせて切り替える。このように各分割画面において表示されている画像が切り替わって、画像が動いているように見える。
【００１２】
本発明では、画像を動かすにあたり、分割された各分割画面において、予め記憶されている限られた数の画像パターンを切り替えるだけであるために、画像全体における画像パターンを切り替えるのに比べてメモリおよびＣＰＵなどの駆動制御手段の必要な容量を小さくすることができる。
よって、限られたメモリや駆動手段の容量の範囲で、動きのパターンを増やすことができるとともに、動きの速度を向上させることができる。
【００１３】
請求項２に記載の発明にあっては、携帯電話機において着信時に着信メロディのテンポに合わせて画像が動く。
このように携帯電話機において着信画像を動かすにあたり、携帯電話機は、搭載できるメモリやＣＰＵなどの駆動制御手段の容量を確保することと、小型化との両立を図ることが難しいが、上述のように、限られたメモリや駆動手段の容量の範囲で、動きのパターンを増やすことができるとともに、動きの速度を向上させることができる新規な携帯電話機を提供することができる。
【００１４】
請求項３に記載の発明にあっては、書替手段を操作することによって、表示パターン切替手段による表示の切替を任意に切り替えて、画面により表示される画像の動きを任意に創作することが可能となる。
したがって、特に、請求項２に記載の発明にあっては、着信画像をユーザが任意に創作することが可能な新規な携帯電話機を提供することが可能となる。
【００１５】
請求項４に記載の発明にあっては、画面の一部に表示される画像を動かすにあたっては、その画面の一部のみを複数の領域に分割して、この分割画面において表示を切り替える。
このように画面全体を駆動させないから、さらに、メモリやＣＰＵなどの駆動制御手段における必要な容量を小さくすることができ、特に、携帯電話機などのような小型の機器において画面を表示するのに有効となる。
【００１６】
請求項５に記載の発明にあっては、駆動制御手段の表示パターン切替部が作動すると、人型のキャラクタにおいて頭部と胴部と左右の手の部分と左右の脚の部分とにおける表示画像パターンが所定のテンポで切り替わり、前記キャラクタがダンスをしているように見える。
このように、キャラクタがダンスをし、また、このダンスを創作することを、メモリやＣＰＵなどの駆動制御手段として小さな容量で可能とする新規な装置を提供することができるもので、特に、携帯電話機において、着信時にキャラクタがダンスをする新規な装置を提供できる。
【００１７】
請求項６に記載の発明では、駆動制御手段の表示パターン切替手段は、パターンの順番を予め記憶していて、この記憶された順番にパターンを切り替えるものであるから、パターンの切替を少ない容量の表示パターン切替手段により行うことができ、駆動制御手段の全体の容量を低くすることができる。
【００１８】
請求項７に記載の発明は、書替手段は、表示パターン切替部において各分割画面毎に記憶されているパターンの順番を任意に書き替える手段であり、パターンの書替を少ない容量で達成することができる。
【００１９】
【発明の実施の形態】
（実施の形態１）
【００２０】
以下に、本発明の実施の形態１の動画制御装置を適用した携帯電話機および着信画像システムについて図面に基づき説明する。
なお、この着信画像システムは、携帯電話機２において、着信時に着信メロディを鳴らすとともに、この着信メロディのテンポに合わせて画面において人の形をした画像を踊らせるシステムである。
【００２１】
まず、上述した着信画像システムについて説明すると、この着信画像システムは、図２に示すように、企業などの画像提供者が有するデータベースサーバ１１およびウエブサーバ１２と、このウエブサーバ１２に付随した課金認証サーバ１３と、ユーザが有している前記携帯電話機２と、この携帯電話機２とウエブサーバ１２および課金認証サーバ１３とを結ぶ通信ネットワークとしてのインターネット３とを有している。
【００２２】
前記データベースサーバ１１には、画像を駆動させるプログラムである画像プログラムと、着信メロディならびに着信画像からなる着信駆動データが予め格納されている。
前記ウエブサーバ１２は、インターネット３とともに携帯電話機２とデータベースサーバ１１との双方向の情報伝達の仲介を行う。このウエブサーバ１２には、携帯電話機２からアクセスした際に、携帯電話機２の画面２２にウエブ画面（図示省略）を表示させる機能を有している。
前記課金認証サーバ１３は、ウエブサーバ１２と携帯電話機２とのそれぞれに接続可能であり、両者の認証をもってユーザに対して課金を行う。
【００２３】
次に、前記携帯電話機２の構成について説明すると、この携帯電話機２は、コントロールユニット２０から信号が出力されるスピーカ２１および画面２２と、スピーカ２１への出力信号を外部に出力する外部出力端子２３とを備え、また、コントロールユニット２０への入力手段として、キー入力部２４およびマイク２５を備えている。
さらに、コントロールユニット２０は、ＣＰＵなどを含み携帯電話機の全般的な動作を制御するコントローラ２０ａと、このコントローラ２０ａにより駆動される出力インタフェース２０ｂと、入力をコントローラ２０ａにより処理可能に変換する入力インタフェース２０ｃと、携帯電話機としての通信処理を実行したり音楽を再生したり画像を再生したりするソフトが記憶されたＲＯＭ２０ｄと、通信に関するデータや音楽・画像データおよびプログラムなどを書き込み書き替え可能なＲＡＭ２０ｅとを備えている。また、コントローラ２０ａに接続可能な外部記憶媒体２０ｆを取り外し可能に設けることもできる。
【００２４】
本実施の形態１では、携帯電話機２において着信画像を表示させるにあたり、まず、ウエブサーバ１２にアクセスしてＲＡＭ２０ｅに着信画像作動プログラムおよび画像・音楽データをダウンロードするものとする。なお、画像・音楽データは、図４に示すように、曲データＭＤと、ダンスデータＤＤとを含んでいる。また、曲データＭＤは、曲の音階や音色などを含むメロディデータｍｄと、この曲のテンポに関する曲テンポデータｍｔｄを含んでいる。一方、ダンスデータＤＤは、後述する表示パターンデータｈｐｄと、ダンスのテンポに関するダンステンポデータｄｔｄを含んでいる。また、前記着信画像作動プログラムは、画像・音楽データに基づいて携帯電話機２の画面２２においてダンス画像を作動させるとともに、スピーカ２１から音楽を演奏させるためのプログラムである。
【００２５】
次に、これら着信画像作動プログラムおよび画像・音楽データをダウンロードする際のウエブサーバ１２における処理流れを図３のフローチャートにより説明する。
【００２６】
まず、ステップ１０１では、ウエブサーバ１２にアクセスされたか否かを判断し、アクセスがなければ本処理を終了するが、アクセスがあった場合には、ステップ１０２に進んで、図示を省略したウエブ画面を携帯電話機２の画面２２に表示させる処理を行う。
このウエブ画面は、着信画像作動プログラムと画像・音楽データとが選択可能となっており、ステップ１０３では、ウエブ画面において、着信画像作動プログラムと画像・音楽データとのいずれが選択されたか判断し、着信画像作動プログラムが選択された場合には、ステップ１０４に進んで着信画像作動プログラムのダウンロードを行う。
このステップ１０４の処理により、携帯電話機のＲＡＭ２０ｅにこの着信画像作動プログラムがダウンロードされる。
【００２７】
また、ステップ１０４のダウンロード処理と並行して、ウエブサーバ１２が課金認証サーバ１３に対して課金を実行することを伝達し、これを受けて課金認証サーバ１３は、携帯電話機２の画面２２において、課金することを表示するとともに各携帯電話機２が個別に有しているサブスクライバＩＤを読み取り、このユーザに対して所定の課金を行う処理を実行する。
【００２８】
このステップ１０４の処理が終了したらステップ１０５に進んで画像・音楽データのダウンロードと終了を選択する画面を表示するとともに、画像・音楽データのダウンロードが選択されたか否か判断し、画像・音楽データのダウンロードが選択された場合にはステップ２００に進み、この選択が成されない場合にはステップ１０６に進んで、終了が選択されたかあるいは所定の終了条件が成立したか否かの終了判断を行う。ここで終了判断が成された場合には、ステップ１０７に進んで、ダウンロードの謝礼を述べるなどの所定の終了メッセージを表示する終了処理を実行して終了する。
【００２９】
着信画像作動プログラムを入手したユーザは、この着信画像作動プログラムにより駆動させる画像・音楽データを入手する必要がある。
この場合、ユーザは、上記ステップ１０５あるいはステップ１０３において画像・音楽データ入手を選択するもので、この選択が行われた場合には、ステップ１０３からステップ２００に進んで携帯電話機の画面において画像・音楽データコンテンツの表示を行う処理を実行する。
この画像・音楽データコンテンツには、画像のキャラクタ（ダンスデータＤＤに対応している）と、曲目（曲データＭＤに対応している）とが表示され、ユーザはこれらを選択可能となっている。
ステップ２０１では、ユーザにより画像キャラクタと曲目との選択が成されたか否か判断し、この選択が行われたらステップ２０２に進んでこれらのダウンロードを行う。このステップ２０２のダウンロード処理の場合も、これと並行してウエブサーバ１２が課金認証サーバ１３に対して課金を実行することを伝達し、これを受けて課金認証サーバ１３は、携帯電話機２の画面２２において、課金することを表示するとともに各携帯電話機２が個別に有しているサブスクライバＩＤを読み取り、このユーザに対して所定の課金を行う処理を実行する。
このステップ２０２の処理が終了したらステップ１０６の終了判断に進む。
【００３０】
次に、着信時について説明する。
上述のようにしてＲＡＭ２０ｅに着信画像作動プログラムと画像・音楽データとがダウンロードされた携帯電話機２にあっては、着信時に、メロディを奏でるとともに、このメロディのテンポに合わせて図５に示すキャラクタＣがダンスを行う。コントロールユニット２０においてこの作動を行う部分が特許請求の範囲の駆動制御手段に相当する。
【００３１】
ここで、本実施の形態１におけるキャラクタＣを踊らせる仕組みについて説明する。
図５はキャラクタＣを示している。このキャラクタＣは、図示のように人型を成している。そして、このキャラクタＣの形状に応じて画面２２の一部の領域を、６つの領域（これを分割画面と称する）２２ａ〜２２ｆに分割して、それぞれキャラクタＣの頭部と胴部と左手部と右手部と左足部と右足部とを表示する。このように分割画面２２ａ〜２２ｆは、図示のように画面２２の全体ではなしに、画面２２においてキャラクタＣを表示する一部の範囲を分割しているため、各分割画面２２ａ〜２２ｆにおいて駆動させる画素数は画面２２の全体の画素数に比べて極めて少ない数となっている。このようにコントロールユニット２０において画面２２の一部を図示のように６つに分割させる部分が特許請求の範囲の画面分割部に相当する。
【００３２】
上記した分割画面２２ａ〜２２ｆにおいて表示する画像パターンは、本実施の形態では、それぞれ３通りとなっている。
すなわち、頭部については、正対した状態（Ｈ−２）と頭部を左右に傾けた状態（Ｈ−１，Ｈ−３）との３通りである。また、胴部については、直立した状態（Ｂ−２）と胴を左右に傾けた状態（Ｂ−１，Ｂ−３）との３通りである。左右手部については、上腕および下腕を下げた状態（ＬＨ−１，ＲＨ−１）と上腕および下腕を上に上げたいわゆる万歳状態（ＬＨ−２，ＲＨ−２）と上腕を下げ下腕を上げた状態（ＬＨ−３，ＲＨ−３）との３通りである。左右脚部については、大腿および下腿を下方に下げたいわゆる直立姿勢状態（ＬＬ−１，ＲＬ−１）と大腿を下げ下腿を上げた状態（ＬＬ−２，ＲＬ−２）と大腿および下腿を上げたいわゆるキック状態（ＬＬ−３，ＲＬ−３）との３通りである。
なお、各分割画面２２ａ〜２２ｆにおける画像パターン数は、少なければ少ないほど駆動には有利であるが、上記３通りに限定されるものではない。また、各分割画面２２ａ〜２２ｆにおける画像パターン数を、この例では共通化して３通りとしているが、場所により画像パターン数を増減させてもよい。
【００３３】
本実施の形態にあっては、着信時には着信画像作動プログラムが画像・音楽データに基づいて作動し、着信メロディを奏でるとともに、この着信メロディのテンポデータにダンスデータのテンポデータを一致させて画像制御を行う。このとき、与えられたテンポのタイミングで、画面において分割された各部の各パターンを選択してキャラクタにダンスをさせる。
すなわち、ダンスデータにおける表示パターンデータは、図６に示すように、各部において表示する画像パターンの組み合わせならびに切り替わりが予め１〜ｎの数だけ設定されている。この設定を記憶している部分がＲＡＮ２０ｅであり、特許請求の範囲のパターン記憶部に相当する。
【００３４】
そして、テンポデータに応じてコントローラ２０ａがこの画像パターンの表示１→２，２→３…ｎ−１→ｎと順に切り替えると、キャラクタＣがダンスしているように見えるもので、この表示を切り替える部分が特許請求の範囲の表示パターン切替手段に相当する。
【００３５】
次に、本実施の形態にあっては、このキャラクタＣのダンスを創作することができるものであり、以下、その手順について説明する。
この創作は、前述の着信画像作動プログラムに基づいて行うことができる。すなわち、この着信画像作動プログラムには書替機能が設定されているもので、この書替処理の流れを図７のフローチャートに基づいて説明する。
すなわち、携帯電話機２の所定のファンクションキーを操作して書替を選択すると、この書替処理が実行され、まず、ステップ３０１において、図６に示す表示パターンを画面２２に呼び出すて表示する。
次に、ステップ３０２では、図６に示す表示パターンにおいて、任意の部位（図６において任意の行であってＨ，ＲＨ，ＬＨ，Ｂ，ＲＬ，ＬＬに相当する）の任意のタイミングｎ（図６において任意の列である）が選択されたか否か判断し、選択された場合には、ステップ３０３に進んで、この任意の行・列において書替入力（−１〜３の入力）が成されたか否か判断され、書替入力が成されたらステップ３０４に進み、書替処理を実行する。ここで、１行目１列目を例に説明すると、図６の表示パターンでは、この１行目１列目には−１が設定されている。そこで、この１行目１列目を選択し（ステップ３０２）、ここに−２を入力する処理を実行すると（ステップ３０３）、ステップ３０４の処理により−１から−２への書替が実行される。
このステップ３０４の書替処理が実行されると、続行するか否かの表示を行い、続行が選択されると、ステップ３０２〜３０４の処理を繰り返し、続行が選択されない場合には、書き替えを終了する。
【００３６】
したがって、本実施の形態１では、ダウンロードされた画像・音楽データとは異なる画像・音楽データをユーザが形成することができる物であり、すなわち、ユーザはオリジナルのダンスを創作することができる。コントロールユニット２０において、以上の書替作動を行う部分が特許請求の範囲の書替手段ｇに相当する。
【００３７】
以上説明したように、本実施の形態１にあっては、以下に列挙する効果を得ることができる。
ａ）携帯電話機２において、着信メロディに合わせて画面２２でキャラクタＣをダンスさせるにあたり、画面２２の一部をさらに分割した分割画面２２ａ〜２２ｆにおいて、それぞれ、予め記憶されている限られた数の画像パターンを切り替えるだけであるために、画面２２の全体における画像パターンを切り替えるのに比べてメモリおよびＣＰＵなどのコントロールユニット２０の必要な容量を小さくすることができるとともに、少ない容量でキャラクタＣを素早く動かすことができる。
このようにメモリや駆動手段の容量が限られている携帯電話機２において、着信メロディに合わせてキャラクタＣをダンスさせることのできる新規な携帯電話機２を提供することができる。
ｂ）本実施の形態１では、画像・音楽データに含まれるダンスデータＤＤにおいて表示パターンデータｈｐｄを、書替可能としたため、着信時のキャラクタＣのダンスをユーザが任意に創作することが可能な新規な携帯電話機を提供することが可能となる。
【００３８】
（実施の形態２）
図８は実施の形態２の画像・音楽データを示す。
実施の形態１では、画像・音楽データにあっては、曲データＭＤとダンスデータＤＤとをセットでダウンロードするようにしたが、実施の形態２では、これらは単独でダウンロードできるようにしている。
また、実施の形態１では、画像・音楽データのダンスデータＤＤは、表示パターンデータｈｐｄとダンステンポデータｄｔｄとを１つずつ記憶させたが、実施の形態２では、これらのデータｈｐｄ，ｄｔｄを複数記憶させている。
【００３９】
以下、これについて説明すると、実施の形態２におけるダンスデータＤＤは、複数のダンスパターンデータＤＰ０１，ＤＰ０２，ＤＰ３０〜が設定されているもので、各ダンスパターンデータごとに表示パターンデータｈｐｄとダンステンポデータｄｔｄが設定されている。
すなわち、１つのキャラクタＣに対して、ディスコダンスやパラパラといった異なるダンスを踊ることができるように、複数のデータｈｐｄ，ｄｔｄが与えられている。
【００４０】
一方、曲データＭＤは、その曲目に応じたダンスパターンデータｍｄｐが与えられている。すなわち、その曲目がディスコミュージックであればディスコダンスを示すダンスパターンデータｍｄｐが、また、その曲目がユーロビートであれば、パラパラを示すダンスパターンデータｍｄｐが与えられている。
【００４１】
したがって、実施の形態２では、１つのキャラクタＣのダンスデータＤＤをダウンロードしておけば、着信メロディの曲目を変更したときに、その曲データＭＤのダンスパターンデータｍｄｐに応じてキャラクタＣが異なるダンスを踊ることになる。
【００４２】
以上、図面により実施の形態について説明したが、本発明はこれに限定されるものではない。
例えば、実施の形態にあっては、携帯電話機に適用した例を示したが、画面に画像を表示する装置であれば、ゲーム機など他の機器に適用することができる。
また、実施の形態では、画像制御装置としての携帯電話機２に対して、着信画像作動プログラムと画像・音楽データとをダウンロードにより入手する例を示したが、携帯電話機２を含む画像制御装置に、予めこれらのデータを搭載しておいてもよい。
【図面の簡単な説明】
【図１】本発明の画像制御装置を示すクレーム対応図である。
【図２】実施の形態１の画像制御装置を適用した着信画像システムを示す全体システム図である。
【図３】実施の形態１を適用した着信画像システムにおけるウエブサーバの制御流れを示すフローチャートである。
【図４】実施の形態１の画像制御装置における画像・音楽データを示す図である。
【図５】実施の形態１の画像制御装置におけるキャラクタＣならびにこれを表示する分割画面を示す図である。
【図６】実施の形態１の画像制御装置における表示パターンデータを示す図である。
【図７】実施の形態１の画像制御装置における書替処理の流れを示すフローチャートである。
【図８】実施の形態２の画像制御装置における画像・音楽データを示す図である。
【符号の説明】
２　　携帯電話機
３　　インターネット
１１　データベースサーバ
１２　ウエブサーバ
１３　課金認証サーバ
２０　コントロールユニット
２０ａコントローラ
２０ｂ出力インタフェース
２０ｃ入力インタフェース
２０ｆ外部記憶媒体
２１　スピーカ
２２ａ分割画面
２２　画面
２３　外部出力端子
２４　キー入力部
２５　マイク
Ｃ　　キャラクタ
【図１】
2004133361.tif 000003
【図２】
2004133361.tif 000004
【図３】
2004133361.tif 000005
【図４】
2004133361.tif 000006
【図５】
2004133361.tif 000007
【図６】
2004133361.tif 000008
【図７】
2004133361.tif 000009
【図８】
2004133361.tif 000010